(57)【要約】【課題】室内からの排気と、室内機で発生したドレン水とを共用ホースで屋外に排出し、換気効率を良好にし得る気液分離装置を提供する。【解決手段】共通の通路から屋外側の出たところで排気とドレン水の排水とを分離させる分配ボックスを設け、ドレン側は排水に適した位置まで伸ばして排水でき、また、排気は屋外に出たところで出口を形成し、ドレンホースの長さに関係なく排気できるので、換気効率の良い空気放出が可能となる。また、分配ボックスにエルボ管を回転自在に設けたので、空気調和機に搭載した場合、冷媒配管等の配管類に追随してこれら配管類と並設することができるので、室外側でも見栄えのよい施工が可能となる。【選択図】　図２
2004101118.tif 000002
【特許請求の範囲】
【請求項１】
共通の通路を介して排出される排気用空気等の気体とドレン水等の液体とを屋外側で分離する気液分離装置であって、
前記共通の通路の屋外側出口近傍に前記ドレン水等の液体と排気とを分離させて夫々の出口から排出する分配ボックスが接続され、該分配ボックスは、そのボックス本体の上部に排気用の出口が形成され、また、ボックス本体の下部に液体用の出口が形成されたことを特徴とする気液分離装置。
【請求項２】
前記分配ボックスは、そのボックス本体の下部にドレン水等の液体を一時的に貯める貯溜部が形成され、該貯溜部に前記液体用の出口が形成されたことを特徴とする請求項１に記載の気液分離装置。
【請求項３】
前記排気用出口に、塵埃がボックス本体内に侵入するのを防止する塵埃侵入防止手段が設けられたことを特徴とする請求項２または３に記載の気液分離装置。
【請求項４】
共通の通路を介して排出される排気用空気等の気体とドレン水等の液体とを屋外側で分離する気液分離装置であって、前記共通の通路の屋外側に前記液体と排気とを分離させて夫々の出口から排出する分配ボックスが接続され、前記共通の通路がホース等の管から構成され、前記分配ボックスの管接続部に前記管の端末方向への移動を規制して、少なくとも液体用出口の閉塞を防止するストッパが設けられたことを特徴とする気液分離装置。
【請求項５】
共通の通路を介して排出される排気用空気等の気体とドレン水等の液体とを屋外側で分離する気液分離装置であって、前記共通の通路の屋外側出口近傍に前記ドレン水等の液体と排気とを分離させて夫々の出口から排出する分配ボックスが接続され、該分配ボックスは、前記ドレン水等の液体用出口と排気用出口とが形成されたボックス本体と、前記液体用出口に連通して略Ｌ字状の液体排出流路をなすエルボ管とを備え、該エルボ管は前記液体用出口に回転自在に接続されたことを特徴とする気液分離装置。
【請求項６】
前記エルボ管は、液体の排出方向で上流側に位置してボックス本体の液体用出口に回転自在に接続される本体接続管部と、液体の排出方向で下流側に位置する下流側接続管部とから構成され、該下流側接続管部にドレンホースが接続されることを特徴とする請求項５に記載の気液分離装置。
【請求項７】
前記エルボ管の回転範囲を規制する規制手段が設けられ、該規制手段は、エルボ管の下流側接続管部の出口が少なくとも水平位置より下方側に位置する範囲で回動するように設定されることを特徴とする請求項５に記載の気液分離装置。
【請求項８】
前記規制手段は、分配ボックスの外側において、エルボ管と液体出口とのうちの一方の周上に形成された切欠部と、該切欠部に係合するよう他方の周囲に形成された凸部とから構成されたことを特徴とする請求項７に記載の気液分離装置。
【請求項９】
前記規制手段は、分配ボックスの内側において、エルボ管の本体接続管部と液体出口の内部とのうちの一方の周上に形成された溝部と、該溝部に係合するよう他方の周囲に形成された係合爪とから構成されたことを特徴とする請求項７に記載の気液分離装置。
【請求項１０】
前記規制手段が、エルボ管の本体接続管部の管方向での抜け止め防止を兼ねることを特徴とする請求項９に記載の気液分離装置。
【請求項１１】
共通の通路を介して排出される排気用空気等の気体とドレン水等の液体とを屋外側で分離する気液分離装置であって、
前記共通の通路の屋外側出口近傍に前記液体と排気とを分離させて夫々の出口から排出する分配ボックスが接続され、前記共通の通路がホース等の管から構成され、該管の端末部を前記分配ボックスに接続固定する固定手段が設けられ、該固定手段は、前記管の周囲をその半径方向で外側から挟持する、ボックス本体側の固定部と、該固定部に開閉自在に係止された固定片とから構成されたことを特徴とする気液分離装置。
【請求項１２】
前記管が蛇腹状ホースからなり、少なくとも前記固定片の内周面側に前記蛇腹状ホースの外周凹溝に係合するホース抜け止めリブが形成されたことを特徴とする請求項１１に記載の気液分離装置。
【請求項１３】
請求項１〜１２のいずれかに記載の気液分離装置を備えたことを特徴とする空気調和機。
【発明の詳細な説明】
【０００１】
【発明の属する技術分野】
本発明は、共通の通路を介して排出される排気用空気等の気体とドレン水等の液体とを屋外側で分離する気液分離装置及びこれを備えた空気調和機に関するものである。
【０００２】
【従来の技術】
この種の従来技術として、ドレンパンの一側端面に隣接して排気ダクトが形成され、この排気ダクトの一側面に開口が形成され、室内空気を吸込んで室内に循環する室内送風ファンによる風の流れの一部を、排気ダクトの開口部に導き、この開口部に導いた風を排気ダクトを通して室外へ排出させるようにした空気調和機が知られている（特許文献１参照）。また、この特許文献１には、ドレンパンと排気ダクトの隣接部分に穴が開いており、ドレン水は、この穴から排気ダクトを通り、室外へ排出される構造となっている。
【０００３】
【特許文献１】
実公平７−３７０７２号公報（請求項、図１参照）
【０００４】
【発明が解決しようとする課題】
ところで、上記の空気調和機は、室内の空気を室外に放出する排気と、室内機で発生したドレン水とを一本のパイプで壁を貫通させて屋外に排出しているが、換気効率を良好にするためには排気流路をできるだけ短く設定する必要がある一方、ドレン水はできるだけ下方に導いて屋外に排水するのが望ましいが、上記特許文献１には、このような排気とドレン水とを分離する技術は開示されておらず、両者を貫通穴の近傍で分離できる構造の気液分離装置の出現が望まれていた。
【０００５】
また、このような気液分離装置を空気調和機に組み込んだ場合、分離型空気調和機には、室内機と室外機との間で冷媒を循環させる配管類が室内壁の貫通穴を通ることになるが、この配管類と気液分離装置のドレンホース等は屋外側で並列して配設されるのが望ましい。しかし、室外機の設置場所によって配管方向も変わるので、気液分離装置のドレンホースの設置方向もこれに追随できる態様が望まれていた。
【０００６】
本発明は、上記課題に鑑み、共通の通路を介して排出される排気用空気等の気体とドレン水等の液体とを共通の通路の屋外側の出口近傍で分離できる気液分離装置の提供を目的としている。
【０００７】
また、本発明の別の目的は、気液分離装置を空気調和機に組み込んだ場合に屋外側冷媒配管に追随して並設することができる気液分離装置を提供することにある。
【０００８】
【課題を解決するための手段】
上記目的を達成するため、本発明は、共通の通路を介して排出される排気用空気等の気体とドレン水等の液体とを屋外側で分離する気液分離装置であって、
前記共通の通路の屋外側出口近傍に前記ドレン水等の液体と排気とを分離させて夫々の出口から排出する分配ボックスが接続され、該分配ボックスは、そのボックス本体の上部に排気用の出口が形成され、また、ボックス本体の下部に液体用の出口が形成されたことを特徴とする気液分離装置を提供する。
【０００９】
上記構成によると、ドレン側は排水に適した位置まで伸ばして排水でき、また、排気は屋外に出たところで出口を形成し、ドレンホースの長さに関係なく排気できるので、換気効率の良い空気放出が可能となる。
【００１０】
また、分配ボックスは、そのボックス本体の下部にドレン水等の液体を一時的に貯める貯溜部が形成され、該貯溜部に前記液体用の出口が形成された構成も採用することができる。この構成によると、貯溜部に液体を一時的に溜めることができるので、ドレン水が多い場合でも溢れるのを防止できる。
【００１１】
また、排気用出口に、塵埃がボックス本体内に侵入するのを防止する塵埃侵入防止手段を設け、枯葉などの塵埃の侵入を防止して、液体用出口が詰まるのを防止できる。
【００１２】
さらに、共通の通路を管などにより構成した場合、分配ボックスの管接続部に前記管の端末方向への移動を規制して、少なくとも液体用出口の閉塞を防止するストッパを設ける構成が好ましい。これにより、液体用出口の閉塞を防止して、液体が分配ボックスから溢れるのを防止できる。
【００１３】
分配ボックスは、前記ドレン水等の液体用出口と排気用出口とが形成されたボックス本体と、前記液体用出口に連通して略Ｌ字状の液体排出流路をなすエルボ管とを備え、該エルボ管は前記液体用出口に回転自在に接続された気液分離装置も提供することができる。
【００１４】
この構成によると、分配ボックスにエルボ管を回転自在に設けたので、空気調和機に搭載した場合、冷媒配管等の配管類に追随してこれら配管類と並設することができるので、室外側でも見栄えのよい施工が可能となる。
【００１５】
また、エルボ管は、液体の排出方向で上流側に位置してボックス本体の液体用出口に回転自在に接続される本体接続管部と、液体の排出方向で下流側に位置する下流側接続管部とから構成し、該下流側接続管部に延長用のドレンホースを接続することもできる。
【００１６】
さらに、前記エルボ管の回転範囲を規制する規制手段が設けられ、該規制手段は、エルボ管の下流側接続管部の出口が少なくとも水平位置より下方側に位置する範囲で回動するように設定される構成が好ましい。これにより、エルボ管が水平位置よりも上方に位置するのを防止できるので、エルボ管に流入した液体が逆流するのを防止できる。
【００１７】
この規制手段としては、分配ボックスの外側において、エルボ管と液体出口とのうちの一方の周上に形成された切欠部と、該切欠部に係合するよう他方の周囲に形成された凸部とを備えた構成や、分配ボックスの内側において、エルボ管の本体接続管部と液体出口の内部とのうちの一方の周上に形成された溝部と、該溝部に係合するよう他方の周囲に形成された係合爪とを備えた構成を採用することができる。後者の構成の場合、この規制手段は、エルボ管の本体接続管部の管方向での抜け止め防止を兼ねることができる。
【００１８】
また、共通の通路がホース等の管から構成される場合、該管の端末部を前記分配ボックスに接続固定する固定手段が設けられ、該固定手段は、前記管の周囲をその半径方向で外側から挟持する、ボックス本体側の固定部と、該固定部に開閉自在に係止された固定片とから構成することができる。これにより、ホースを据え付け現場で簡単に固定、取外しをすることができる。
【００１９】
また、前記管が蛇腹状ホースからなる場合、少なくとも前記固定片の内周面側に前記蛇腹状ホースの外周凹溝に係合するホース抜け止めリブを形成すれば、ホースを確実に固定することができる。
【００２０】
なお、上記気液分離装置は、単独でも使用できるが、この気液分離装置を搭載した空気調和機によると、冷媒配管等の配管類と共に室外側でも見栄えのよい施工が可能となる。
【００２１】
【発明の実施形態】
以下、本発明に係る気液分離装置を空気調和機に搭載した実施形態について図面を参照して説明する。図１は本発明の実施形態である空気調和機の室内機において、前面パネルを取り外して主要部品を示す分解斜視図である。図１において、１は室内機、２は背面パネル、３は室内熱交換器、４は室内ファン、５は前面パネルや背面パネルに形成される吸込口、６は室内機１の下面に形成される吹出口、７はドレンパン、８は換気用排気ファン、９は合流ボックスである。
【００２２】
室内機１は、図示しない前面パネルと背面パネルとからユニットケースが構成され、室内の壁面に取付板（図示略）により取り付けられる。このユニットケース内には、室内空気を前面パネルや背面パネル上面の吸込口５から吸い込み、かつ吹出口６から吹き出すための室内ファン４と、室内空気と室外ユニット（図示略）から供給された冷媒との間で熱交換を行う室内熱交換器３と、室内熱交換器３に発生するドレン水を受け止めるドレンパン７とを備えている。
【００２３】
室内ファン４はクロスフローファンであり、室内熱交換器３の背面側に配置され、吸込口５から吸込んだ空気を室内熱交換器３を流れる冷媒との間で熱交換し、その空気を室内機下方の吹出口６から吹出すようにしている。
【００２４】
冷房運転時や除湿運転時に室内熱交換器３で発生するドレン水を受け止めるドレンパン７は、室内熱交換器３の下方に室内ファン４の回転軸の軸方向に長く形成され、その一側に配置された排気路１０の合流ボックス９に連通接続されている。
【００２５】
図２は図１の室内ファンの一側の排気路に設けられた気液排出装置とその下流側に接続された気液分離装置とを背面側からみた斜視図、図３は同じく気液排出装置の側面断面図、図４は同じく気液排出装置の背面断面図である。図２において、９は合流ボックス、１０は排気路、１１は排気ファンを覆うファンケース、１２は合流ボックス内の仕切壁、１３はドレンパン側の貯水部、１４は排気路側の排気部、１５は合流ボックスの排気・排水兼用の出口、１６は仕切壁に設けられた逆止弁、１７は共用ホースである。
【００２６】
図２ないし図４に示すように、室内ファン４の回転軸の軸方向一側には、室内機１の前面側から吸込んだ、汚れた室内空気等の気体とドレン水等の液体を共通の通路を介して排出する気液排出装置３２が設けられている。この気液排出装置３２は、室内の汚れた空気を室外に排出する排気路１０に、室内空気を室内機前面側から背面側に導く換気用排気ファン８と、ドレンパン７からのドレン水等の液体を排気路１０に合流させる機能を有する合流ボックス９と、該合流ボックス９の出口１５側に接続され、室内壁３３に形成された貫通穴３４を貫通可能な径を有する排気・排水共用ホース１７とが設けられている。
【００２７】
換気用排気ファン８は、図２〜図４に示すように、空気調和機の室内ファン４とは別に設けられた専用のファンであって、円筒状のファンケース１１に覆われて合流ボックス９の上方に配置され、室内機１の前面から吸込んだ空気を合流ボックス９のファンケース１１の入口から換気用排気ファン８により排気部１４に導き、排気部１４からボックス出口１５に排出するものである。
【００２８】
共用ホース１７は、図２に示すように、排気用空気等の気体とドレン水等の液体の両方を排出する共通の通路となる蛇腹状ホースなどの管から構成されており、一側端が筒状のボックス出口１５に外嵌接続され、他側端が室内壁３３の貫通穴３４を通り屋外側出口の近傍で気液分離装置３５に接続されている。この共用ホース１７は断熱材（図示略）で覆い、低温のドレン水が流れてもダクト表面の結露を防止できるようにしてもよい。
【００２９】
合流ボックス９は、図４に示すように、排気ファンで吸込んだ室内空気を共用出口に導く排気部１４と、ドレンパン７からのドレン水を貯水する貯水部１３とを備え、貯水部１３と排気部１４とを仕切る仕切壁１２の下部にドレン水を排気部１４側に合流させるための開口部２０が形成され、この開口部２０の排気部１４側に、気体が液体側に逆流するのを防止する逆流防止手段としての逆止弁１６が配設されている。
【００３０】
貯水部１３は、図４に示すように、逆止弁１６を強制的に開閉する第１のフロート２４が配置されている。この第１のフロート２４は、一端がボックス本体に軸支され、他端に前記逆止弁１６を左右方向に回動させる突起部２４ｂが形成されている。突起部２４ｂの先端は、逆止弁１６の閉弁状態では、逆止弁１６と接触するか、または僅かに間隔をおいた状態に設定され、フロート２４の上昇と共に、逆止弁１６に接圧してこれを開弁方向に回動させるようにしている。
【００３１】
また、貯水部１３には、第１のフロート２４の上方位置に第２のフロート２５が軸２５ａ周りに回動自在に軸支されている。この第２のフロート２５は、貯水部１３の水位が異常に上昇したときに、運転を停止するための水位検出手段３０の一部を構成しており、第２のフロート２５の上方には第２のフロートの上動を検知するマイクロスイッチやリードスイッチなどの近接スイッチ、あるいは光センサなどの水位検出センサ３１が設けられ、異常水位を検出できるようになっている。
【００３２】
逆止弁１６は、合成樹脂、ゴム、又は金属などの各種素材で略笠型状に形成することができ、この逆止弁１６に、その排気側に風圧を受けるための受圧部２６が設けられ、排気運転時に確実に閉弁するように設定されている。受圧部２６は、図３及び図４に示すように、逆止弁１６を形設している平坦な面の受圧側壁２７と、排気路１０に沿った鈍角状の三面からなる側壁２８とから略Ｌ字状に形成されてなり、受圧側壁２７は、その上端が仕切壁１２に回転自在に軸支されている。
【００３３】
上記構成において、空気調和機が冷房もしくは除湿運転すると、室内熱交換器３からドレン水がドレンパン７に流れ込み、合流ボックス９のドレン水の貯水部１３に流れ込む。ドレン水の貯水部１３に流れ込んだドレン水が溜まり、その水位が上昇すると、併せて貯水部１３のフロート２４も上昇するが、フロート２４は、その上昇によって支点２４ａを軸に上方に回動し、フロート２４の先端部の突起部２４ｂが逆止弁１６を押圧する。
【００３４】
フロート２４の突起部２４ｂの押圧により、逆止弁１６は、受圧側壁２７の軸２７ａを支点とし、開口部２０と反対方向に回動し、開口部２０と逆止弁１６との間に隙間が発生し、その隙間から貯水部１３に溜まったドレン水が排気部１４側に流れる。つまり、貯水部１３に溜まったドレン水の水位により、フロートが受ける力が逆止弁１６の自重に打ち勝つ時点で、ドレン水は逆止弁１６を押し開き、排気部１４、出口１５、共用ホース１７の順に通って室外側に排出される。
【００３５】
また、冷房停止かつ排気運転時においては、換気用排気ファン８によって押し出された室内の空気は、合流ボックス９の排気部１４、出口１５、排気・排水兼用の共用ホース１７の順に通って室外に排出される。このとき、逆止弁１６は、換気用排気ファン８からの風圧が受圧側壁２８の周壁に加わり、これと一体に形成されている側壁２７が開口部２０方向に押圧され、開口部２０が逆止弁１６で閉塞されるので、排気がドレン水貯水部１３に流れ込むことは無く、室内へ逆流することは無い。
【００３６】
さらに、冷房運転かつ排気運転時においては、排気は前記排気のみ運転時と同様の流れによって室外に排出される。一方、ドレン水は合流ボックス９のドレン水貯水部１３に流れ込んだ後、貯水部１３に溜まったドレン水による水圧、及び上昇するフロート２４による逆止弁１６への押圧力と、排気による風圧とが逆止弁１６に加わる力関係で逆止弁１６の開閉動作が決定され、ドレン水によるフロート２４への水圧がうちかった時点で、ドレン水は逆止弁１６を押し開き、開口部２０との隙間から排気部１４側に流れ、排気とともに排気部１４、出口１５、排気排水兼用の共用ホース１７の順に通って室外に排出される。
【００３７】
貯水部１３の水位が換気用排気ファン８の能力に相当する深さとなり、貯水部１３の水位が一定以上になると、フロート２４も上昇してフロート２４の突起部２４ｂが逆止弁１６を押圧し、開口部２０が開口されてドレン水が貯水部１３より流出する。
【００３８】
貯水部１３に貯水するドレン水の水位が異常上昇した場合、第２のフロート２５の上昇により水位検出センサ３１で一定水位を検出したときに、異常信号を制御部に送り、圧縮機などの運転を停止するので、ドレン水が逆流して漏水するなどのおそれがなく、安全で快適な空気調和機を提供することができる。
【００３９】
次に、共用ホース１７の端末側に接続される気液分離装置３５について説明する。図５は図２の気液分離装置の分解斜視図、図６は同じく分配ボックスの側面図、図７は分配ボックスをホース挿入口側からみた斜視図、図８は図６のＡ−Ａ断面図、図９は図６のＢ−Ｂ断面図、図１０は（ａ）はホース固定手段の固定片を外側からみた斜視図、（ｂ）は固定片を内側からみた斜視図、図１１は分配ボックスの中央縦断面図、図１２は分配ボックスの本体とエルボ管とを分解した状態を示す断面図、図１３は分配ボックスを屋外側からみた正面図、図１４は分配ボックスを屋外側からみた斜視図であって、（ａ）はエルボ管の垂直状態を、（ｂ）はエルボ管の水平状態を示す。図１５は気液分離装置の壁設置状態を示す斜視図であって、（ａ）はドレンホース垂直状態を、（ｂ）はドレンホースの水平状態を示す。
【００４０】
共用ホース１７は、建物の屋内と屋外を仕切る壁３３に貫通された貫通穴３４を貫通する蛇腹状のホース等から構成され、その貫通穴出口近傍にドレン水と排気とを分離させて夫々の出口３６，３７から排出する分配ボックス３８が接続されている。
【００４１】
分配ボックス３８は、図５ないし図９に示すように、ドレン水等の液体用の出口３７と排気用出口３６とが形成されたボックス本体３９と、前記液体用出口３７に連通して略Ｌ字状の液体排出流路をなすエルボ管４０とを備えている。
【００４２】
ボックス本体３９は、図７に示すように、一端側が閉塞し他端側が開放した円筒状に形成され、その下部にドレン水等の液体を一時的に貯める貯溜部４１となる小円筒部４２が形成され、貯溜部４１の一端側に液体用の出口３７が形成されている。液体用出口３７の開口端は、図１１及び図１２に示すように、他の部位よりも大径に形成され、この大径口部３７ａにシール用Ｏリング４４が嵌着されるようになっている。
【００４３】
排気用出口３６は、図１４に示すように、ボックス本体３９の一端側上部において、その円筒周面上に形成されると共に、一端閉塞部３９ａの上部にも形成されている。そして、この排気用出口３６は、塵埃がボックス本体内に侵入するのを防止する塵埃侵入防止手段としての格子状のフィルタ部４５が一体形成されている。
【００４４】
ボックス本体３９の他端側開口は、図７に示すように、前記共用ホース１７となる蛇腹状ホースの端末の挿入口４６とされ、この挿入口４６に、ホース１７の端末部を分配ボックス３８に接続固定する固定手段４７が設けられている。
【００４５】
固定手段４７は、前記管１７の周囲をその半径方向で外側から挟持する、ボックス本体側の半円筒状の固定部４８と、該固定部４８に開閉自在に係止された半円筒状の固定片４９とから構成されている。そして、図１０に示すように、固定片４９の内周面の中央部には前記蛇腹状ホース１７の外周凹溝１７ａに係合するホース抜け止めリブ５０が内周面に沿って一体的に形成され、また、図７に示すように、リブ５０に対向して固定部４８の内周面の底部付近にもホース抜け止めリブ５１が形成されている。
【００４６】
また、図８および図９に示すように、固定片４９を固定部４８に開閉自在に係止するために、固定片４９の一端側には回動爪５２が一体形成され、これに対応してボックス本体３９の固定部４８の外面側には、回動爪５２を抜け出し不能に嵌合する軸受穴５３が形成されている。また、固定片４９の他端側には固定部４８の他端側に形成された係止穴５５に着脱自在に係止する係止爪５６が形成されている。
【００４７】
固定片４９は、回動爪５２を軸受穴５３に嵌合した状態で供給され、空気調和機の据え付け現場において、ホース１７の接続作業を容易に行えるようにする。ホース１７の分配ボックス３８への接続は、ホース１７を室内壁３３の貫通穴３４から屋外側に引き出して、ボックス本体３９の挿入口４６に挿入後、係止爪５６を係止穴５５に係合し、固定片４９と固定部４８のリブ５０，５１をホース１７の凹溝１７ａに係合することにより、ホース１７を分配ボックス３８から抜け出し不能に接続固定できるようになっている。
【００４８】
また、ボックス本体３９の固定部４８よりも内部側の上端部には、図１１および図１２に示すように、分配ボックス３８の管接続部にホース１７の端末方向への移動を規制して、貯溜部４１及び液体用出口３７の閉塞を防止するリブ状のストッパ５７が突設されている。
【００４９】
エルボ管４０は、図７に示すように、液体の排出方向で上流側に位置してボックス本体３９の液体用出口３７に回転自在に接続される本体接続管部４０ａと、液体の排出方向で下流側に位置してドレンホース等の延長管５８（図１５参照）を接続可能とする下流側接続管部４０ｂとから構成される。すなわち、エルボ管４０は、ボックス本体３９の下部にある小円筒部４２の端末側の液体用出口３７に回転自在に接続され、室内機と室外機との間で冷媒を循環させる配管等の配管類５９（図１５参照）とドレンホース５８とを屋外側で並列できるようになっている。
【００５０】
本体接続管部４０ａには、図１２に示すように、その外周部にフランジ６１が形成されると共にＯリング４４が嵌着され、該Ｏリング４４を前記フランジ６１と液体用出口の大径口部３７ａとの間で挟圧することにより、エルボ管４０と液体用出口３７との間の隙間をシールするようにしている。
【００５１】
また、エルボ管４０の回転範囲を規制する規制手段６２、６３が設けられ、第１の規制手段６２は、図１３に示すように、エルボ管４０の下流側接続管部４０ｂの出口が少なくとも水平位置より下方側に位置する範囲の略１８０度で回動するように設定されている。この規制手段６２は、分配ボックス３８の外側において、ボックス本体３９の液体出口３７の大径口部３７ａよりも外側に形成された延長筒部６４のうちの上半円筒部を切欠くことにより形成される切欠部６４ａと、該切欠部に係合するようエルボ管４０のフランジ６１より外方に形成された凸部６５とから構成される。
【００５２】
また、第２の規制手段６３は、図９に示すように、分配ボックス３８の内側において、エルボ管４０の本体接続管部４０ａの周上に形成された半円弧状の溝部６６と、該溝部に係合するよう小円筒部４２の上端から下方に向けて突出された係合爪６７とから構成される。この係合爪６７と溝部６６とは、本来、エルボ管４０の本体接続管部４０ａの管方向での抜け止め防止用のものであるが、これらは前記規制手段６３と抜け止め防止手段とを兼ねることになる。
【００５３】
また、前記半円弧状の溝部６６には、その周上の３箇所の溝底が貫通され、前記係合爪６７が溝穴６６ａに係止可能とされ、エルボ管４０を前記回動範囲のうち左右の水平位置と中央の垂直位置の３箇所で停止できるようにしている。
【００５４】
次に、気液分離装置３５の取付方法について説明すると、空気調和機の据え付け工事の際、室内機側から蛇腹状ホース等の共用ホース１７を冷媒配管等の配管類５９と共に壁３３の貫通穴３４を通し、その端末に気液分離装置３５の分配ボックス３８を接続する。この際、ホース１７を壁３３の貫通穴３４から屋外側に引き出して、ボックス本体３９の挿入口４６に挿入後、固定片４９の係止爪５６を係止穴５５に係合し、固定片４９と固定部４８のリブ５０、５１をホース１７の凹溝１７ａに係合することにより、ホース１７を分配ボックス３８から抜け出し不能に接続することができる。
【００５５】
このホース接続時において、ボックス本体３９の固定部４８よりも内部側にストッパ５７があるため、ホース１７はストッパ５７によってホース端末方向への移動が規制され、ボックス本体３９の下部貯溜部４１を閉塞することがないので、ドレン水が逆流するのを防止することができる。
【００５６】
次に、分配ボックス３８のボックス本体３９に接続されたエルボ管４０の下流側接続管部４０ｂに延長ドレンホース５８を接続する。この際、貫通穴３４を通して屋外に導き出される配管類５９は、室外機の設置場所に応じて屋外壁壁面に沿って設置される。そこで、ドレンホース５８が配管類５９に追随して並列するように、エルボ管４０を上流側本体接続管部４０ａの周りに回動させ、配管類５９に隣接して配置するようにすれば、外装カバー（図示略）への収容も容易に行える。
【００５７】
エルボ管４０の回転範囲は、分配ボックス３８の外側の切欠部６４ａと、該切欠部に係合する凸部６５とにより、また、分配ボックス３８の内側のエルボ管４０の溝部６６と貯溜部４１の係合爪６７とにより、下流側接続管部４０ｂの回転が水平位置よりも下側の１８０度の範囲に規制されるので、下流側接続管部４０ｂの出口が上向きになってドレン水が貯溜部４１から溢れてボックス本体３９の排気用出口３６から流出するのを防止できる。
【００５８】
上記のように据え付けられた気液分離装置３５においては、気液排出装置３２の共用出口１５を通って共用ホース１７に流れてきたドレン水と排気が、室外の分配ボックス３８側に排出される。分配ボックス３８においては、室内機の換気用排気ファン８の圧力により、排気は屋外出口近傍の共用ホース１７の管方向延長上にある分配ボックス３８の排気用出口３６から水平ないし上方に排気され、ドレン水は、ボックス本体３９に入り、本体下部の貯溜部４１で一時的に溜められた後、エルボ管４０を介してドレンホース５８を通り、自然落下して下方に流出することになる。従って、排気流路は短くなって換気効率が良好になり、また、ドレン水はできるだけ下方に導いて屋外に排水することができる。
【００５９】
なお、本発明は、上記実施形態に限定されるものではなく、本発明の範囲内で修正・変更を加えることができるのは勿論である。例えば、上記実施形態では、気液分離装置を空気調和機に搭載した例を示したが、これに限らず、単独で又は他の機器に搭載する態様であってもよい。また、上記実施形態では、分配ボックスの排気用出口に設けた塵埃侵入防止手段として、格子状のフィルタを例示したが、この出口に不織布などで構成された目の細かいフィルタやあるいは出口上方を覆うカバーを設けた構成を採用してもよい。
【００６０】
【発明の効果】
以上の説明から明らかな通り、本発明によると、共通の通路から屋外側の出たところで排気とドレン水の排水とを分離させる分配ボックスを設け、ドレン側は排水に適した位置まで伸ばして排水でき、また、排気は屋外に出たところで出口を形成し、ドレンホースの長さに関係なく排気できるので、換気効率の良い空気放出が可能となる。また、分配ボックスにエルボ管を回転自在に設けたので、空気調和機に搭載した場合、冷媒配管等の配管類に追随してこれら配管類と並設することができるので、室外側でも見栄えのよい施工が可能となる。
【図面の簡単な説明】
【図１】本発明の実施形態である空気調和機の室内機において前面パネルを取り外して主要部品を示す分解斜視図
【図２】図１の気液排出装置および気液分離装置を背面側からみた斜視図
【図３】図１の気液排出装置の側面断面図
【図４】同じく気液排出装置の背面断面図
【図５】図２の気液分離装置の分解斜視図
【図６】同じく分配ボックスの側面図
【図７】分配ボックスをホース挿入口側からみた斜視図
【図８】図６のＡ−Ａ断面図
【図９】図６のＢ−Ｂ断面図
【図１０】（ａ）はホース固定手段の固定片を外側からみた斜視図、（ｂ）は固定片を内側からみた斜視図
【図１１】分配ボックスの中央縦断面図
【図１２】分配ボックスの本体とエルボ管とを分解した状態を示す断面図
【図１３】分配ボックスを屋外側からみた正面図
【図１４】分配ボックスを屋外側からみた斜視図であって、（ａ）はエルボ管の垂直状態を、（ｂ）はエルボ管の水平状態を示す。
【図１５】気液分離装置の壁設置状態を示す斜視図であって、（ａ）はドレンホース垂直状態を、（ｂ）はドレンホースの水平状態を示す。
【符号の説明】
１　　室内機
２　　背面パネル
３　　室内熱交換器
４　　室内ファン
５　　吸込口
６　　吹出口
７　　ドレンパン
８　　換気用排気ファン
９　　合流ボックス
１７　　共用ホース（共通の通路）
３３　　壁
３４　　貫通穴
３５　　気液分離装置
３６　　排気用出口
３７　　液体用出口
３８　　分配ボックス
３９　　ボックス本体
４６　　挿入口
４８　　固定部
４９　　固定片
５７　　ストッパ
６２，６３　規制手段
６４ａ　切欠部
６５　　凸部
６６　　溝部
６７　　係合爪
【図１】
2004101118.tif 000003
【図２】
2004101118.tif 000004
【図３】
2004101118.tif 000005
【図４】
2004101118.tif 000006
【図５】
2004101118.tif 000007
【図６】
2004101118.tif 000008
【図７】
2004101118.tif 000009
【図８】
2004101118.tif 000010
【図９】
2004101118.tif 000011
【図１０】
2004101118.tif 000012
【図１１】
2004101118.tif 000013
【図１２】
2004101118.tif 000014
【図１３】
2004101118.tif 000015
【図１４】
2004101118.tif 000016
【図１５】
2004101118.tif 000017